(57)【要約】【課題】被覆体を剥がした後に、再び弾性体を被覆体によって簡便に密封できるようにした輸液容器の栓体を提供する。【解決手段】被覆体４と筒状外枠体とを一体的に連結している薄肉部３を介し、被覆体４の側に凸部によって構成した係止部９を設け、筒状外枠体２の側に凹部によって構成した被係止部１０を形成することによって再結合手段８を備えることとした。【選択図】    図１
2004182327.tif 000002
【特許請求の範囲】
【請求項１】
基端部を輸液容器本体に接合される筒状外枠体と、該筒状外枠体に内嵌される穿刺針挿通用弾性体を密閉するように前記筒状外枠体の先端面に切り離し用環状薄肉部を介して一体的に成形された被覆体と、該被覆体を前記筒状外枠体から切り離す操作のために前記被覆体に設けられた把持部と、前記被覆体を切り離した後に前記弾性体を前記被覆体によって被覆するために該被覆体を前記筒状外枠体に係合させる再結合手段と、を有し、
該再結合手段は、前記筒状外枠体と前記被覆体とを相互に係合するように設けられた係合部と被係合部とを備えることを特徴とする輸液容器用栓体。
【請求項２】
前記係合部と被係合部との間に前記薄肉部が形成されていることを特徴とする請求項１記載の輸液容器用栓体。
【請求項３】
前記係合部と被係合部との係合が、凹凸嵌合による係合であることを特徴とする請求項１又は２記載の輸液容器用栓体。
【請求項４】
前記凹凸嵌合の凸部が、熱可塑性エラストマーにより形成されていることを特徴とする請求項３に記載の輸液容器用栓体。
【請求項５】
前記筒状外枠体及び前記被覆体の少なくとも一方に、再結合時の密封のための密封用弾性リングが装着されていることを特徴とする請求項２記載の輸液容器用栓体。
【請求項６】
前記係合部と被係合部との係合が、締り嵌めによる係合であることを特徴とする請求項２記載の輸液容器用栓体。
【請求項７】
前記再結合手段が、前記被覆体の切り離し後に前記筒状外枠体に形成される開口縁部と、該開口縁部と係合し得るように前記被覆体に形成された凹所とにより構成されることを特徴とする請求項１記載の輸液容器用栓体。
【請求項８】
前記把持部は、倒立台を兼ねる鍔状部により構成されていることを特徴とする請求項１〜７の何れかに記載の輸液容器用栓体。
【請求項９】
前記把持部は、プルリングであることを特徴とする請求項１〜７の何れかに記載の輸液容器用栓体。
【請求項１０】
前記筒状外枠体に前記弾性体を固定し、該弾性体の輸液容器側の面を遮蔽フィルムで被覆したことを特徴とする請求項１〜９の何れかに記載の輸液容器用栓体。
【請求項１１】
前記被覆体と前記筒状外枠体とに渡り、シュリンクフィルム又はテープ等の被覆フィルムが被覆されていることを特徴とする請求項１〜１０の何れかに記載の輸液容器栓体。
【発明の詳細な説明】
【０００１】
【発明の属する技術分野】
本発明は、医療用の輸液容器の栓体に関するものである。
【０００２】
【従来の技術】
従来、輸液容器は、プラスチック製でボトル型やバッグ型のものがある。このような輸液容器の本体に接合される栓体は、一般に、プラスチック製であって、円筒状外枠体、穿刺針を挿通する弾性体、及び前記弾性体天面を外気から遮蔽するようにして覆う被覆体とからなる。斯かる栓体は、一般に、輸液容器本体に溶着等によって接合され、輸液容器内を外部から完全に遮断することを保証している。
【０００３】
被覆体としては、円筒状外枠に溶着された剥離用フィルムタイプのもの（例えば、特許文献１）や、円筒状外枠に引き剥ぎ用薄肉部を介して一体成形されプルリングで剥ぎ取るもの（例えば、特許文献２）の他、倒立台として兼用できる捩切りタイプの円板状のもの（例えば、特許文献３）が知られている。
【０００４】
【特許文献１】
実開平１−１０４１４４号公報
【０００５】
【特許文献２】
実開平１−１７０２３６号公報
【０００６】
【特許文献３】
実開平６−７５３９６号公報
【０００７】
【発明が解決しようとする課題】
輸液容器に薬剤を混注する作業は、患者への投与直前に病棟にて行うか或いは調剤室やナースステーションにて行われるが、従来の栓体は、一旦被覆体を剥がしてしまうと、弾性体天面は露出したままとなってしまう。従って、混注操作を病棟以外の場所で行うと、病棟への移送中や一時保管中に弾性体天面が汚染される畏れがあり、場合によっては投与時に消毒操作を行う必要が生じてくる。
【０００８】
そこで、本発明は、被覆体を剥がした後に、再び弾性体を被覆体によって簡便に密封できるようにした輸液容器の栓体を提供することを目的とする。
【０００９】
【課題を解決するための手段】
上記目的を達成するため、本発明に係る輸液容器用栓体は、基端部を輸液容器本体に接合される筒状外枠体と、該筒状外枠体に内嵌される穿刺針挿通用弾性体を密閉するように前記筒状外枠体の先端面に切り離し用環状薄肉部を介して一体的に成形された被覆体と、該被覆体を前記筒状外枠体から切り離す操作のために前記被覆体に設けられた把持部と、前記被覆体を切り離した後に前記弾性体を前記被覆体によって被覆するために該被覆体を前記筒状外枠体に係合させる再結合手段と、を有し、該再結合手段は、前記筒状外枠体と前記被覆体とを相互に係合するように設けられた係合部と被係合部とを備えることを特徴とする。
【００１０】
本発明に係る輸液容器用栓体は、斯かる構成を採用したことにより、被覆体を筒状外枠体から切り離した後に、再結合手段によって簡便に結合させることができる。
【００１１】
前記薄肉部は、前記係合部と被係合部との間に形成されていることが好ましい。
【００１２】
前記係合部と被係合部との係合は、凹凸嵌合による係合、或いは、締り嵌めによる係合を採用し得る。
【００１３】
前記凹凸嵌合の凸部は、熱可塑性エラストマーにより形成しておけば、密封性が向上するために好ましい。
【００１４】
また、前記筒状外枠体及び前記被覆体の少なくとも一方に、再結合時の密封のための密封用弾性リングを装着しても良い。
【００１５】
さらに、前記再結合手段は、前記被覆体の切り離し後に前記筒状外枠体に形成される開口縁部と、該開口縁部と係合し得るように前記被覆体に形成された凹所とにより構成しても良い。
【００１６】
前記把持部は、倒立台を兼ねる鍔状部により構成するか、或いは、プルリングとすることができる。
【００１７】
前記筒状外枠体に前記弾性体を固定し、該弾性体の輸液容器側の面を遮蔽フィルムで被覆しておけば、弾性体と輸液容器内の薬液との接触を避ける必要が有る場合に有利である。
【００１８】
また、前記被覆体と前記筒状外枠体とに渡り、シュリンクフィルム又はテープ等の被覆フィルムによって被覆しておけば、被覆体を一度切り離しているかどうかの目安になり好ましい。
【００１９】
【発明の実施の形態】
本発明の好ましい実施形態について以下に図面を参照して説明する。なお、全図を通し同様の構成部分には同符号を付した。
【００２０】
先ず本発明に係る輸液容器用栓体（以下、単に「栓体」と言う。）の第１実施形態について、図１〜８を参照して説明する。図１は、輸液容器用栓体を示す平面図（ａ）及び部分縦断面図（ｂ）である。
【００２１】
図１に示す栓体１は、筒状外枠体２に切り離し用環状薄肉部３を介して被覆体４が一体的に成形されている。被覆体４には、被覆体４を筒状外枠体２から切り離す際に把持するための把持部５が形成されている。把持部５は、図示の例では鍔状とされている。このような栓体１は、プラスチック成形体とすることができる。
【００２２】
筒状外枠体２には、図２に示すような穿刺針挿通用弾性体６が装着され得る。弾性体６は、プラスチック製支持体７に外嵌され溶着されている。支持体７の端部外周面に外周溝７ａが形成される一方、筒状外枠体２の端部内周面には内側に突出する内周縁部２ａが形成されており、筒状外枠体２に弾性体６と一体となった支持体７を押し込めば、図３に示すように、内周縁部２ａが外周溝７ａに嵌合し、抜けを防止する。こうして筒状外枠体２に嵌め込まれた弾性体６の外側面（穿刺針を刺す側の面）は、薄肉部３を介して連結された被覆体４によって密閉されている。
【００２３】
栓体１は、被覆体４を筒状外枠体２から切り離した後に、弾性体６を被覆体４によって密閉状態に被覆するように、被覆体４と筒状外枠体２とを相互に結合させる再結合手段８を備えている（図１参照）。
【００２４】
再結合手段８は、薄肉部３を介して、被覆体４の側に設けられた係合部９と、筒状外枠体２の側に設けられた被係合部１０とを有する。図示の例では、図４に拡大して示すように、係合部９は、被覆体４に連成された首部１１の外周面に形成された凸部によって構成され、被係合部１０は、筒状外枠体２の内周面に形成された凹溝により構成されており、これら係合部９と被係合部１０とは、薄肉部３を挟んで薄肉部３の近傍に形成されている。係合部９を構成する前記凸部は、首部１１の全周に亘って延びる凸状リブとする他、首部１１の外周面に沿って断続的或いは部分的に凸所を設けても良い。
【００２５】
係合部９は、図４に示すように、薄肉部３に向かって漸次薄肉となるテーパー面１２を備えている。このテーパー面１２は、係合部９を構成している凸部と連続して形成されており、薄肉部３を切り離した後（図５参照）に、該切り離し後に生じる筒状外枠体２の開口部に係合部９を嵌め込み易くする。
【００２６】
上記構成を有する栓体１は、図８に示すように、筒状外枠体２の基端部に形成されたフランジ部２ｂを輸液容器本体１４に溶着することにより、輸液容器本体１４に取り付けられ、鍔状の把持部５は、輸液容器１３を倒立状体で自立させるための倒立台としても機能する。
【００２７】
上記構成を有する栓体１を備える輸液容器では、筒状外枠体２を把持するとともに、鍔状の把持部５を把持して捩ることにより、薄肉部３が切れて、図５に示すように、被覆体４が筒状外枠体２から切り離される。
【００２８】
穿刺針挿通用弾性体６に穿刺針（図示せず）を挿通し、薬剤の入ったバイアル瓶（図示せず）と輸液容器本体１４とを連通させ、両者の薬剤を混合し、輸液容器本体１４へ移行させる混注作業の後、前記穿刺針を弾性体６から抜き取り、被覆体４を切り離した後に形成される筒状外枠体２の開口部に被覆体４の首部１１を押し込むようにすれば、図６及び図７に示すように、再結合手段８によって被覆体４を再び筒状外枠体２に係合させることができる。
【００２９】
弾性体６の密閉をより確実にするために、図９に切り離し前（図９（ａ））と再結合後（図９（ｂ））とを拡大して示すように、係合部９を構成する凸部を熱可塑性エラストマーによって形成することができる。熱可塑性エラストマーは、被覆体４を形成しているプラスチック材料と一体成形することができ、製造上の観点からも好ましい。
【００３０】
また、図９に示すように、係合部９とは別に、被覆体４の首部１１の外周部に、密封用弾性リング１５を装着しても良い。この場合の弾性リング１５も、熱可塑性エラストマーを採用し、被覆体４の首部１１に一体成形することが好ましい。
【００３１】
上記薄肉部、上記再結合手段を構成する係合部及び被係合部は、上記実施形態の例に限らず、種々の態様が可能であり、その変更態様を以下に図１０〜１３を参照して説明する。なお、以下に示す図１０〜図１３の変更態様については、図４又は図７と同様の拡大図を参照して説明する。
【００３２】
図１０に示す第２実施形態では、筒状外枠体２に首部１１が形成され、首部１１と被覆体４との繋ぎ目に薄肉部３が形成されている。被係合部１０は、首部１１の外周部であって薄肉部３の近傍に形成された凸部によって構成される一方、係合部９は、被覆体４に首部１１を挿入し得る凹所１６が形成されていてその凹所１６の内周壁に形成された環状凹溝によって構成されており、これら凸部と凹溝とが嵌合し得るようになっている。
【００３３】
なお、図１１に示すように、薄肉部３は、首部１１の端部以外の部位に形成し、首部１１に係合部９及び被係合部１０を形成することができる。図示の例では、係合部９は、薄肉部３近傍の内周面に設けた環状凹溝によって構成される一方、被係合部１０は、薄肉部３近傍の外周面に設けた凸部によって形成されており、両者が凹凸嵌合するようになっている。
【００３４】
図１２は、再結合手段１０として締り嵌めによる係合を採用した実施形態である。図１２に示す例では、筒状外枠体２と被覆体４に連成された首部１１との繋ぎ目に薄肉部３が形成されている。首部１１の外径寸法は、首部１１を切り離した後に形成される筒状外枠体２の開口部口径よりも少しだけ大きくなるように形成されている。図示の例では、首部１１の外径は、薄肉部３から離れるに従い徐々に外径が大きくなるように形成してある。従って、切り離された首部１１を前記開口部に強く差し込めば、該開口部の内周縁部と首部１１との摩擦係合により締り嵌めが得られる。
【００３５】
図１３は、図１２に示す再結合手段の変更態様であり、薄肉部３は、被覆体４と筒状外枠体２に連成された首部１１との繋ぎ目に形成されており、被覆体４には、切り離された首部１１を挿入し得る凹所１６が形成されている。首部１１の外径は、凹所１６の内径より少しだけ大きくなるように形成されており、切り離された首部１１を凹所１６に強く差し込むことにより、締り嵌めにより係合する。なお、図示の例では、首部１１の外径は、薄肉部３から離れるに従って徐々に大きくなるように形成されている。
【００３６】
次に、本発明に係る輸液容器用栓体のプルリングタイプの実施形態について説明する。なお、この実施形態については、弾性体の説明は省略した。
【００３７】
図１４に示すように、筒状外枠体２に薄肉部３を介して被覆体４が一体的に形成され、被覆体４にプルリングにより構成される把持部５が一体的に形成されている。薄肉部３は、断面Ｖ字状の環状溝３ａを形成することによって構成されており、薄肉部３を切り離すと、筒状外枠体２の開口部周縁端面にはテーパー面が形成される。被覆体４には、薄肉部３の近傍に、環状溝状で断面鉤状の凹所からなる係合部９が形成されており、被係合部１０は、薄肉部３を切り離した後の筒状外枠体２の開口縁部によって構成される。従って、前記開口部に切り離された被覆体４を押し込めば、両者が係合するようになっている。
【００３８】
上記した実施形態を含み、本発明に係る栓体では、使用前における被覆体の未開封保証のため、及び、被覆体が一度開封されたかどうかを判断できるようにするために、前記被覆体と前記筒状外枠体とに渡り、シュリンクフィルム又はテープ等の被覆フィルム（図示せず）によって被覆しておくことができる。
【００３９】
また、弾性体６が輸液容器内の薬液と接触することが好ましくない場合には、弾性体６の輸液容器本体の側の面に、薬液を通さない遮蔽フィルム（図示せず）を張設しておくことができる。
【図面の簡単な説明】
【図１】本発明に係る輸液容器用栓体の一実施形態を示し、図１（ａ）は平面図、図１（ｂ）は部分縦断面図である。
【図２】図１の栓体と、該栓体に装着される弾性体とを分離した状態で示す部分縦断面図である。
【図３】図２の栓体と弾性体とを結合した状態を示す部分断面図である。
【図４】図２の破線で囲んだ領域Ａを拡大して示す断面図である。
【図５】図３の弾性体を装着した栓体から、被覆体を切り離した状態を示す部分断面図である。
【図６】図５の状態から、被覆体を筒状外枠体に再結合した状態の栓体を示す部分断面図である。
【図７】図６の破線で囲んだ領域Ｂを拡大して示す断面図である。
【図８】図３の弾性体付き栓体を輸液容器本体に接合した輸液容器を示す正面図である。
【図９】本発明に係る栓体の変更態様を、切り離し前（図９（ａ））と再結合後（図９（ｂ））で示す、図４に相当する拡大断面図である。
【図１０】本発明に係る栓体の他の変更態様を示す、図４に相当する拡大断面図である。
【図１１】本発明に係る栓体の更に他の変更態様を示す、図４に相当する拡大断面図である。
【図１２】本発明に係る栓体の更に他の変更態様を示す、図４に相当する拡大断面図である。
【図１３】本発明に係る栓体の更に他の変更態様を示す、図４に相当する拡大断面図である。
【図１４】本発明に係る栓体の更に他の変更態様を示す、図４に相当する拡大断面図である。
【符号の説明】
１  栓体
２  筒状外枠体
３  薄肉部
４  被覆体
５  把持部
６  弾性体
７  支持体
８  再結合手段
９  係合部
１０  被係合部
１４  輸液容器本体
１５  弾性リング
【図１】
2004182327.tif 000003
【図２】
2004182327.tif 000004
【図３】
2004182327.tif 000005
【図４】
2004182327.tif 000006
【図５】
2004182327.tif 000007
【図６】
2004182327.tif 000008
【図７】
2004182327.tif 000009
【図８】
2004182327.tif 000010
【図９】
2004182327.tif 000011
【図１０】
2004182327.tif 000012
【図１１】
2004182327.tif 000013
【図１２】
2004182327.tif 000014
【図１３】
2004182327.tif 000015
【図１４】
2004182327.tif 000016